(57)【要約】【課題】地図検索において、テレビ番組で紹介された地域や地名について簡便に検索することができるサーバ、システム、及び方法を提供すること。【解決手段】クライアント装置（３０）から検索要求を受け付けると、地図検索サーバ（２０）は、検索地図記憶手段（２６，２７）からクライアント装置に表示させる地図データを検索語に基づいて抽出し、抽出した地図データを検索要求を受け付けたクライアント装置に送信する。このとき、地図データには、地名情報とは異なる特定検索語に関連付けられた特定地図データを含む。【選択図】図６
2010152467.tif 000002
【特許請求の範囲】
【請求項１】
クライアント装置から受信した検索要求に応じて地図を検索する地図検索サーバであって、
前記クライアント装置から前記検索要求を受け付ける検索要求受付手段と、
地図画像を前記クライアント装置に表示させる地図データ及び地図を検索する検索語を記憶する検索地図記憶手段と、
前記検索要求に基づいて前記検索地図記憶手段に記憶した前記地図データから、前記検索要求に該当する前記地図データを抽出する地図データ抽出手段と、
前記地図データ抽出手段が抽出した前記地図データを前記クライアント装置に送信する送信手段と、を備え、
前記地図データには、特定検索語に関連付けられた特定地図データを含み、
前記特定検索語は、有線又は無線により提供される放送番組の名称であり、
前記特定地図データは、前記放送番組と共に送信される番組メタ情報に基づいて、当該番組メタ情報に含まれる地名情報を含む前記地図データであることを特徴とする地図検索サーバ。
【請求項２】
前記特定地図データは、ＸＭＬデータであることを特徴とする請求項１に記載の地図検索サーバ。
【請求項３】
地図を表示する表示部を有し、ネットワークに接続して検索要求を送信するクライアント装置と、
前記クライアント装置からの検索要求に応じて地図を検索する地図検索サーバと、
有線又は無線により提供される放送番組と共に送信される番組メタ情報から特定地図データを作成する特定地図データ生成サーバと、を有する地図検索システムであって、
前記特定地図データ生成サーバは、
地名情報及びその位置情報を記憶する地名詳細情報記憶手段と、
前記放送番組の前記番組メタ情報を受信し、前記番組メタ情報に含まれる地名情報を前記地名詳細情報記憶手段に記憶する地名情報に基づいて抽出する地名抽出手段と、
前記番組メタ情報から抽出した地名情報から当該地名情報を含む特定地図データを、前記放送番組の名称を示す特定検索語に関連付けて生成する特定地図データ生成手段と、
前記特定地図データ生成手段が生成した前記特定地図データを前記特定検索語と共に記憶する特定地図データ記憶手段と、を備え、
前記地図検索サーバは、
地図画像を前記クライアント装置に表示させる地図データ及び当該地図データを検索する検索語を記憶する検索地図データ記憶手段と、
前記特定地図データ生成サーバから前記特定地図データを該特定地図データに関連付けられた前記特定検索語と共に受信し、前記検索地図データ記憶手段に記憶する特定地図データ受信手段と、
前記検索要求を受け付ける検索要求受付手段と、
前記検索要求に基づいて前記検索地図データ記憶手段に記憶した前記地図データ又は前記特定地図データから、前記検索要求に該当する地図データを抽出する地図データ抽出手段と、
前記地図データ抽出手段が抽出した地図データを前記クライアント装置に送信する送信手段と、を備え、
前記クライアント装置は、前記地図検索サーバから受信した地図データを前記表示部に表示することを特徴とする地図検索システム。
【請求項４】
前記特定地図データは、ＸＭＬデータであることを特徴とする請求項３に記載の地図検索システム。
【請求項５】
地名情報及びその位置情報を記憶する地名詳細情報記憶手段と、
有線又は無線により提供される放送番組と共に送信される番組メタ情報を受信し、前記番組メタ情報に含まれる地名情報を抽出する地名抽出手段と、
前記番組メタ情報から抽出した地名情報に基づいて特定地図データを生成する特定地図データ生成手段と、
クライアント装置から検索要求を受け付ける検索要求受付手段と、
地図画像を前記クライアント装置に表示させる地図データ及び前記地図データを検索する検索語を記憶する検索地図データ記憶手段と、
前記検索要求に基づいて前記クライアント装置に表示させる地図データを抽出する地図データ抽出手段と、
前記抽出した地図データをクライアント装置に送信する送信手段と、を備えた地図検索方法であって、
地名抽出手段が放送番組の番組メタ情報を受信して、前記番組メタ情報に含まれる地名情報を前記地名詳細情報記憶手段に記憶する地名情報に基づいて抽出するステップ、
特定地図データ生成手段が、前記番組メタ情報から抽出した地名情報と前記地名詳細情報記憶手段に記憶する前記位置情報とに基づいて、当該地名情報を含む特定地図データを前記放送番組の名称を示す特定検索語に関連付けて生成するステップ、
前記検索地図データ記憶手段が、前記特定地図データ生成手段により生成された特定地図データを前記特定検索語と関連付けて前記地図データとして記憶するステップ、
検索要求受付手段が、クライアント装置から検索要求を受けつけるステップ、
地図データ抽出手段が、前記検索要求に基づいて前記検索地図データ記憶手段に記憶された地図データを抽出するステップ、
前記送信手段が、前記地図データ抽出手段が前記検索地図データ記憶手段から抽出した地図データを前記検索要求を受け付けたクライアント装置に送信するステップ、
を実行する地図検索方法。
【請求項６】
前記特定地図データは、ＸＭＬデータであることを特徴とする請求項５に記載の地図検索方法。
【発明の詳細な説明】
【技術分野】
【０００１】
本発明は、地図検索サーバ、地図検索システム及び地図検索方法に関する。特に、放送番組に含まれる地名を含む地図データを検索するサーバ、システム及び方法に関する。
【背景技術】
【０００２】
ウェブ上で地図を検索するシステムが知られている。このシステムは、インターネットを介して利用者が地名を入力すると、その地名周辺の地図が利用者のコンピュータに表示されるというものである。検索の結果表示される地図には、検索した地名周辺の地図だけでなく、銀行や郵便局の位置など、その周辺情報も同時に表示される。
【０００３】
一方で、テレビ放送の旅行番組で日本や世界の各所を紹介する場合がある。番組内で紹介された地域について興味を持った視聴者がその地域を参照しようとする場合、インターネットに接続して地図検索システムを利用する。このような場合でも、視聴者は詳細な地名等は時間が経過するにつれて忘れてしまったり、不正確に覚えてしまったりするなどで、検索することが困難になってしまうケースがある。これでは、せっかく興味を持った視聴者がその土地に訪れる機会を損失し、ひいてはテレビ等で紹介されることで当該地域の観光や産業を振興させようという地元の人々の行動も無益なものとなってしまう。
【０００４】
そこで、旅行番組等を録画して後で参照することが考えられる。このような場合、番組放送と共に送信される番組に関する情報（以下、「番組メタ情報」とする）を受信して録画すると共にリストアップし、検索して再生できる装置が提案されている（例えば、特許文献１参照）。
【特許文献１】特開２００６−２３６４１２号公報
【発明の開示】
【発明が解決しようとする課題】
【０００５】
しかし、このような場合であっても、地名の検索時において録画した番組を再生しなければならず、手間がかかると同時に時間を要する。また、このような手間をかけてまで番組内で紹介された地域について検索しようとすることは一般的には考えにくい。このため、テレビ等で紹介されることで当該地域の観光や産業を振興させようという地元の人々の行動も無益なものとなる点においては依然問題として残る。
【０００６】
そこで、本発明は、地図検索において、テレビ番組で紹介された地域や地名について簡便に検索することができるサーバ、システム、及び方法を提供することを目的とする。
【課題を解決するための手段】
【０００７】
本発明では、以下のような解決手段を提供する。
【０００８】
（１）クライアント装置から受信した検索要求に応じて地図を検索する地図検索サーバであって、前記クライアント装置から前記検索要求を受け付ける検索要求受付手段と、地図画像を前記クライアント装置に表示させる地図データ及び地図を検索する検索語を記憶する検索地図記憶手段と、前記検索要求に基づいて前記検索地図記憶手段に記憶した前記地図データから、前記検索要求に該当する前記地図データを抽出する地図データ抽出手段と、前記地図データ抽出手段が抽出した前記地図データを前記クライアント装置に送信する送信手段と、を備え、前記地図データには、特定検索語に関連付けられた特定地図データを含み、前記特定検索語は、有線又は無線により提供される放送番組の名称であり、前記特定地図データは、前記放送番組と共に送信される番組メタ情報に基づいて、当該番組メタ情報に含まれる地名情報を含む前記地図データであることを特徴とする地図検索サーバ。
【０００９】
（１）に記載の発明に係る地図検索サーバは、クライアント装置から検索要求を受け付けると、検索地図記憶手段からクライアント装置に表示させる地図データを検索語に基づいて抽出し、抽出した地図データを検索要求を受け付けたクライアント装置に送信する。このとき、地図データには、放送番組の名称を示す特定検索語に関連付けられた特定地図データを含む。また、特定地図データは、放送番組と共に配信される番組メタ情報に含まれる地名情報を含む地図データである。
【００１０】
これにより、クライアント装置から特定検索語により検索要求を受け付けた場合に、その特定検索語に関連付けられた特定地図データを抽出し、クライアント装置に表示させることができる。また、特定検索語は、放送番組の名称を示すので、放送番組の名称を検索語としても地図を検索することができる。また、特定地図データは、放送番組と共に送信される番組メタ情報に含まれる地名情報を含む地図データであるので、放送番組の名称で検索した場合には、当該放送番組で提示された地域の地図を表示させることができる。
【００１１】
（２）前記特定地図データは、ＸＭＬデータであることを特徴とする（１）に記載の地図検索サーバ。
【００１２】
（２）に係る発明によれば、特定地図データはＸＭＬデータであるため、画像情報として作成する場合に比べて、データ容量を小さくすることができる。
【００１３】
（３）地図を表示する表示部を有し、ネットワークに接続して検索要求を送信するクライアント装置と、前記クライアント装置からの検索要求に応じて地図を検索する地図検索サーバと、有線又は無線により提供される放送番組と共に送信される番組メタ情報から特定地図データを作成する特定地図データ生成サーバと、を有する地図検索システムであって、前記特定地図データ生成サーバは、地名情報及びその位置情報を記憶する地名詳細情報記憶手段と、前記放送番組の前記番組メタ情報を受信し、前記番組メタ情報に含まれる地名情報を前記地名詳細情報記憶手段に記憶する地名情報に基づいて抽出する地名抽出手段と、前記番組メタ情報から抽出した地名情報から当該地名情報を含む特定地図データを、前記放送番組の名称を示す特定検索語に関連付けて生成する特定地図データ生成手段と、前記特定地図データ生成手段が生成した前記特定地図データを前記特定検索語と共に記憶する特定地図データ記憶手段と、を備え、前記地図検索サーバは、地図画像を前記クライアント装置に表示させる地図データ及び当該地図データを検索する検索語を記憶する検索地図データ記憶手段と、前記特定地図データ生成サーバから前記特定地図データを該特定地図データに関連付けられた前記特定検索語と共に受信し、前記検索地図データ記憶手段に記憶する特定地図データ受信手段と、前記検索要求を受け付ける検索要求受付手段と、前記検索要求に基づいて前記検索地図データ記憶手段に記憶した前記地図データ又は前記特定地図データから、前記検索要求に該当する地図データを抽出する地図データ抽出手段と、前記地図データ抽出手段が抽出した地図データを前記クライアント装置に送信する送信手段と、を備え、前記クライアント装置は、前記地図検索サーバから受信した地図データを前記表示部に表示することを特徴とする地図検索システム。
【００１４】
（３）に記載の発明に係る地図検索システムは、クライアント装置と、地図検索サーバと特定地図検索サーバとで構成され、互いにネットワークにより通信可能である。特定地図検索サーバでは、有線又は無線により提供される放送番組の番組メタ情報を受信し、当該番組メタ情報に含まれる地名情報を抽出し、抽出した地名情報を含む特定地図データを生成する。この特定地図データは、当該番組メタ情報の放送番組の名称を示す特定検索語に関連付けられており、これらのデータを地図検索サーバに送信して地図データとして地図検索サーバの検索地図記憶手段に蓄積する。地図検索サーバでは、クライアント装置からの検索要求に応じて検索地図記憶手段から検索要求に基づいて地図データを抽出し、抽出した地図データをクライアント装置に送信すると、クライアント装置は、当該地図データを表示部に表示することができる。
【００１５】
これにより、特定地図検索サーバにより、地図データとして放送番組の番組メタ情報に基づいて当該放送番組に関連する特定地図データが作成され、地図検索サーバは特定地図データを抽出することができる。また、特定地図データは放送番組の名称を示す特定検索語に関連付けられているので、地図検索サーバは、クライアント装置から特定検索語により検索要求を受け付けた場合に、当該特定検索語に関連付けられている特定地図データを検索結果としてクライアント装置に表示させることができる。すなわち、クライアント装置を使用する使用者は、放送番組の名称で地図を検索することができる。
【００１６】
（４）前記特定地図データは、ＸＭＬデータであることを特徴とする（３）に記載の地図検索システム。
【００１７】
（４）に係る発明によれば、特定地図データはＸＭＬデータであるため、画像情報として作成する場合に比べて、データ容量を小さくすることができる。
【００１８】
（５）地名情報及びその位置情報を記憶する地名詳細情報記憶手段と、有線又は無線により提供される放送番組と共に送信される番組メタ情報を受信し、前記番組メタ情報に含まれる地名情報を抽出する地名抽出手段と、前記番組メタ情報から抽出した地名情報に基づいて特定地図データを生成する特定地図データ生成手段と、クライアント装置から検索要求を受け付ける検索要求受付手段と、地図画像を前記クライアント装置に表示させる地図データ及び前記地図データを検索する検索語を記憶する検索地図データ記憶手段と、前記検索要求に基づいて前記クライアント装置に表示させる地図データを抽出する地図データ抽出手段と、前記抽出した地図データをクライアント装置に送信する送信手段と、を備えた地図検索方法であって、地名抽出手段が放送番組の番組メタ情報を受信して、前記番組メタ情報に含まれる地名情報を前記地名詳細情報記憶手段に記憶する地名情報に基づいて抽出するステップ、特定地図データ生成手段が、前記番組メタ情報から抽出した地名情報と前記地名詳細情報記憶手段に記憶する前記位置情報とに基づいて、当該地名情報を含む特定地図データを前記放送番組の名称を示す特定検索語に関連付けて生成するステップ、前記検索地図データ記憶手段が、前記特定地図データ生成手段により生成された特定地図データを前記特定検索語と関連付けて前記地図データとして記憶するステップ、検索要求受付手段が、クライアント装置から検索要求を受けつけるステップ、地図データ抽出手段が、前記検索要求に基づいて前記検索地図データ記憶手段に記憶された地図データを抽出するステップ、前記送信手段が、前記地図データ抽出手段が前記検索地図データ記憶手段から抽出した地図データを前記検索要求を受け付けたクライアント装置に送信するステップ、を実行する地図検索方法。
【００１９】
（５）に記載の発明に係る地図検索方法は、放送番組の番組メタ情報を受信して、当該番組メタ情報に含まれる地名情報を抽出し、当該地名情報から特定地図データを作成する。この特定地図データは、当該データを検索するための特定検索語と関連付けられて、地図データとして記憶される。そして、クライアント装置から検索要求を受信すると、当該検索要求に応じて地図データを検索し、クライアント装置に送信する。
【００２０】
これにより、クライアント装置から特定検索語による検索要求を受けた場合であっても地図データを検索することができる。また、特定検索語は特定地図データを作成する元となった番組メタ情報に含まれる放送番組の名称を示すので、特定検索語で検索することにより、放送番組において提示された地名に関する地図を容易にクライアント装置に表示させることができる。
【００２１】
（６）前記特定地図データは、ＸＭＬデータであることを特徴とする（５）に記載の地図検索方法。
【００２２】
（６）に係る発明によれば、特定地図データはＸＭＬデータであるため、画像情報として作成する場合に比べて、データ容量を小さくすることができる。
【発明の効果】
【００２３】
本発明によれば、地図検索において、テレビ番組で紹介された地域や地名について簡便に検索することができるサーバ、システム、及び方法を提供することができる。
【発明を実施するための最良の形態】
【００２４】
以下、本発明の実施形態について図を参照しながら説明する。
【００２５】
＜全体概要＞
図１を参照して地図検索システム１の全体概要について説明する。図１は、地図検索システム１の概要を示す図である。
【００２６】
地図検索システム１は、放送局５から番組メタ情報を受信して特定地図を作成する特定地図データ生成サーバ１０と、地図を検索する地図検索サーバ２０と、地図に関する検索要求を送信するクライアント装置３０ａ，３０ｂと、これらが接続可能なネットワーク４０と、により構成されている。
【００２７】
特定地図データ生成サーバ１０は、放送局５が放送する放送番組と共に送信される当該放送番組の番組メタ情報を受信する。そして、この番組メタ情報に含まれる地名情報を抽出し、抽出した地名情報に基づいて地図データを作成する。以下、番組メタ情報に基づいて作成された地図データを特定地図データというものとする。そして、作成した特定地図データを地図検索サーバ２０に送信する。
【００２８】
地図検索サーバ２０は、クライアント装置３０ａ，３０ｂから送信された、地図を検索する旨の検索要求を受け付けて、検索結果を返信する。このとき、地図検索サーバ２０は、特定地図データ生成サーバ１０から受信した特定地図データを含めて検索を行う。
【００２９】
クライアント装置３０ａ，３０ｂは、地図を検索する旨の検索要求を地図検索サーバ２０に送信し、その検索結果を受信して表示部（図示せず）に表示する。
【００３０】
クライアント装置３０ａ，３０ｂ（以下、総称する場合は「クライアント装置３０」とする）は、いわゆるパーソナルコンピュータ３０ａや、携帯電話を始めとする携帯端末３０ｂなどのネットワーク４０に接続可能な装置であれば特に限定されない。また、本明細書においては、それぞれが単一の装置として示しているが、クライアント装置３０ａ，３０ｂは、それぞれが複数の装置であってよい。
【００３１】
＜特定地図データ生成サーバ＞
図２から図５を参照して特定地図データ生成サーバ１０について説明する。図２は、特定地図データ生成サーバ１０の機能構成図である。図３は、特定地図データの例を示す図である。図４は、地名詳細情報記憶部１６に記憶される地名詳細情報テーブルを示す図である。図５は、特定地図データ記憶部１７に記憶される特定地図データテーブルを示す図である。
【００３２】
特定地図データ生成サーバ１０は、処理を行う処理部として、地名等抽出部１１、特定地図データ生成部１２、特定地図データ送信部１３により構成される。また、記憶部として、地名詳細情報記憶部１６及び特定地図データ記憶部１７を有する。
【００３３】
地名等抽出部１１は、放送局５から番組メタ情報を受信し、受信した番組メタ情報に含まれる地名情報を抽出する。詳細には、地名等抽出部１１は、地名詳細情報記憶部１６を参照し、番組メタ情報に含まれる単語が地名詳細情報記憶部１６に記憶されている地名情報に該当するか否かを判断する。番組メタ情報に含まれる単語が地名情報に該当する場合には、地名等抽出部１１は、当該地名情報に関連付けて記憶されている位置情報（例えば、座標データなど）を地名詳細情報記憶部１６から読み出す。また、同時に、地名等抽出部１１は、受信した番組メタ情報から番組名や放送日時、また特定検索語（後述）として特定地図データと関連付ける検索語等の情報を抽出する。そして、地名等抽出部１１は、読み出した情報を特定地図データ生成部１２に送る。
【００３４】
ここで番組メタ情報は、放送局５が放送番組と共に配信するデータ放送をいい、例えば、ＥＰＧ（Ｅｌｅｃｔｒｏｎｉｃ  Ｐｒｏｇｒａｍ  Ｇｕｉｄｅ）による電子番組表やＢＭＬ（Ｂｒｏａｄｃａｓｔ  Ｍａｒｋｕｐ  Ｌａｎｇｕａｇｅ）により記載されて配信される文字情報を言う。
【００３５】
特定地図データ生成部１２は、特定地図データを生成する。詳細には、特定地図データ生成部１２は、地名等抽出部１１が番組メタ情報から抽出した地名情報に基づいて、クライアント装置３０に地図を表示させるための地図データとなる特定地図データを生成する。
【００３６】
特定地図データ生成部１２は、地名等抽出部１１が番組メタ情報から抽出した情報をＸＭＬデータとして表現するデータとして作成する。例えば、特定地図データは図３に示すようなＸＭＬデータとして表現される。
【００３７】
このＸＭＬデータには、放送番組の名称、放送番組の日時、及び各地名情報の位置情報、地名が少なくとも記載される。図３の＜Ｍａｐｄａｔａ＞タグに示す“Ｔｏｃｈｉｇｉ＿ＭＡＰ０１”は、地名情報に基づいて読み出した位置情報を示す。
【００３８】
そして、特定地図データ生成部１２は、作成した特定地図データを特定地図データ記憶部１７に記憶する。
【００３９】
特定地図データ送信部１３は、特定地図データ生成部１２が生成し、特定地図データ記憶部１７に記憶した特定地図データを地図検索サーバ２０に送信する。この特定地図データを送信するタイミングは、任意に決定することができる。例えば、特定地図データ生成部１２が特定地図データを生成する度に地図検索サーバ２０に送信するようにしてもよく、所定数の特定地図データが生成された場合に送信するとしてもよい。また、地図検索サーバ２０から送信要求があった場合に、前回送信していなかった差分の特定地図データを送信するとしてもよい。
【００４０】
地名詳細情報記憶部１６は、地名情報とその位置情報を記憶する。具体的には、図４に示すような地名詳細情報テーブルが記憶されている。
【００４１】
図４を参照して地名詳細情報テーブルについて説明する。
【００４２】
地名詳細情報テーブルは、地名情報及び地名に関連付けられた位置情報が予め格納されている。ここで、位置情報とは、本実施形態においては、緯度及び経度により示される座標データである。そして、地名詳細情報テーブルは地名等抽出部１１により参照され、地名等抽出部１１は、番組メタ情報に含まれる単語から地名に該当する単語を照合して抽出したり、抽出した地名についての位置情報を読み出す。
【００４３】
地名詳細情報テーブルは、都道府県名、地名、緯度、経度の列により構成されている。そして、地名詳細テーブルの各行が１つの地名についての地名情報を構成する。本実施形態では、「都道府県」列には、都道府県単位の地名情報が格納されているがこれに限らず、関東地方や近畿地方等の地方単位、国単位、大陸単位等であってもよい。また、「地名」列には、放送番組で紹介された地域の名称が格納される。なお、この「地名」列には、これに限らず、より詳細な地名を格納するようにしてもよい。例えば、店名、建物名等であってよい。
【００４４】
また、緯度及び経度については、当該地名を特定するにおいて必要な単位で記載することができる。この緯度及び経度の記載の程度は、管理者の任意である。
【００４５】
図３に戻って、特定地図データ記憶部１７は、特定地図データ生成部１２が生成した特定地図データを記憶する。この特定地図データ記憶部１７には、例えば、図５に示す特定地図データテーブルのように、特定地図データを検索する特定検索語と共に記憶される。ここで、特定地図データを検索するための検索語を特定検索語とする。
【００４６】
図５を参照して特定地図データテーブルについて説明する。特定地図データテーブルは、「特定検索語」列と、これに対応する「特定地図データ」列、その他「日時」列等により構成される。本実施形態では、特定地図データテーブルの各行が特定検索語と特定地図データとが互いに関連付けられていることを示す。
【００４７】
「特定検索語」の列には、関連付けられた特定地図データを検索するための特定検索語が格納される。特定検索語は、地名以外の名称により特定される。例えば、特定地図データを生成する元となった番組メタ情報があるが、その番組メタ情報と共に放送された放送番組の名称が特定検索語として採用される。これにより、放送番組名により地図を検索できる。その他、放送番組のコーナー名やサブタイトル、出演タレント名等を採用してもよい。これらの特定検索語は、番組メタ情報に含まれる単語により決定される。
【００４８】
「特定地図データ」の列には、特定地図データ生成部１２が生成した特定地図データが格納される。また、「日時」列には、当該特定地図データを生成した元ととなった番組メタ情報の日付情報が格納される。この日付情報は、例えば、当該番組メタ情報の配信と共に放送された放送番組の放送日時を示す情報である。その他、番組メタ情報に含まれる情報をテーブルに格納してもよい。
【００４９】
＜地図検索サーバ＞
図６を参照して地図検索サーバ２０について説明する。図６は、地図検索サーバ２０の機能構成を示す図である。
【００５０】
地図検索サーバ２０は、処理部として、特定地図データ受信部２１と、検索要求受付部２２と、地図データ抽出部２３と、地図データ送信部２４とを有する。また、記憶部として特定地図データ記憶部２６、検索地図データ記憶部２７、を有する。
【００５１】
特定地図データ受信部２１は、特定地図データ生成サーバ１０から特定地図データを受信し、特定地図データ記憶部２６に記憶する。このとき、特定地図データ受信部２１は、特定地図データを、これに関連付けられている特定検索語と共に受信する。そして、図５に示す特定地図データテーブルと同様のテーブルとして、特定地図データ及び特定検索語をそれぞれ関連付けて記憶する。
【００５２】
検索要求受付部２２は、クライアント装置３０から地図検索の検索要求を受け付ける。検索要求受付部２２は、検索要求を受け付けると、検索要求に含まれる検索語を読み出し、地図データ抽出部２３に送る。
【００５３】
地図データ抽出部２３は、検索要求受付部２２が受け付けた検索要求に含まれる検索語に基づいて検索地図データ記憶部２７を検索し、該当する地図データを抽出する。このとき、地図データ抽出部２３は、検索語が特定検索語に該当するか否かを判別する。詳細には、地図データ抽出部２３は、特定地図データ記憶部２６の特定地図データテーブルを参照し、検索要求受付部２２が検索要求と共に受け付けた検索語が、特定地図データテーブルの特定検索語に該当するか否かを判別する。
【００５４】
そして、受け付けた検索語が特定検索語に該当する場合には、当該特定検索語に関連付けられている特定地図データを抽出し、この特定地図データに含まれる位置情報に基づいて地図データを作成する。この地図データを作成するのは、検索地図データ記憶部２７に記憶されている地図情報に基づく。一方で、該当しない場合には、検索地図データ記憶部２７を参照して、検索語に該当する地図データを抽出する。
【００５５】
地図データ送信部２４は、地図データ抽出部２３が抽出又は作成した地図データを、検索要求を受け付けたクライアント装置３０に送信する。これにより、クライアント装置３０の表示部において検索結果としての地図データが表示される。
【００５６】
特定地図データ記憶部２６は、特定地図データ生成サーバ１０から受信した特定地図データ及び関連する特定検索語を記憶する。これらは、図５に示すような特定地図データテーブルと同様のテーブルが記憶される。
【００５７】
検索地図データ記憶部２７は、検索に使用される地図データが格納されている、いわゆるデータベースである。これらの地図データは、国別、都道府県別、地域別等に分けられた地図データがそれぞれ格納されている。また、写真映像やその他の店や公共施設、観光スポット等その他情報が関連付けられて格納されている。なお、特定地図データ記憶部２６と検索地図データ記憶部２７とは、１つの記憶部として設けてもよい。
【００５８】
＜処理フロー＞
図７から図９を参照して、地図検索システム１における特定地図データ生成サーバ１０及び地図検索サーバ２０が行う処理について説明する。図７は、特定地図データ生成サーバ１０が行う処理のフローチャートを示す図である。図８及び図９は、地図検索サーバ２０が行う処理のフローチャートを示す図である。
【００５９】
図７を参照して、特定地図データ生成サーバ１０において行われる特定地図生成処理について説明する。
【００６０】
まず、ステップＳ１１では、地名等抽出部１１は、放送局５から番組メタ情報を受信したか否かを判別する。地名等抽出部１１は、番組メタ情報を受信した場合（このステップでＹＥＳと判別した場合）は、ステップＳ１２に移る。また、番組メタ情報を受信しない場合（このステップでＮＯと判別した場合）にはこのまま待機する。
【００６１】
ステップＳ１２では、地名等抽出部１１は、受信した番組メタ情報から地名情報等を抽出する。詳細には、まず地名等抽出部１１は、地名詳細情報記憶部１６を参照して、番組メタ情報に含まれる単語が地名詳細情報テーブルに登録されている地名に該当するか否かを判別する。そして、地名情報に該当する単語及びその地名の位置情報を地名詳細情報テーブルから抽出し、特定地図データ生成部１２に送る。また、地名等抽出部１１は、電子番組表等の番組メタ情報から番組名や放送日時等の特定検索語となる単語を抽出し、特定地図データ生成部１２に送る。
【００６２】
ステップＳ１３では、特定地図データ生成部１２は、地名等抽出部１１での処理を受け、特定地図データを生成する。詳細には、特定地図データ生成部１２は、地名等抽出部１１が抽出した情報に基づいて、図３に示すような、ＸＭＬデータを作成する。
【００６３】
ステップＳ１４では、特定地図データ生成部１２は、作成したＸＭＬデータを特定検索語と共に特定地図データ記憶部１７に記憶させる。
【００６４】
ステップＳ１５では、特定地図データ送信部１３は、特定地図データ生成部１２が生成した特定地図データを特定地図データ記憶部１７から読み出して、関連する特定検索語と共に地図検索サーバに送信する。この処理が終了した場合には、本フローチャートの処理を終了する。
【００６５】
図８を参照して、地図検索サーバ２０において行われる特定地図データ受信処理について説明する。
【００６６】
まずステップＳ２１では、特定地図データ受信部２１が、特定地図データを受信したか否かを判別する。特定地図データ受信部２１が特定地図データを受信した場合（ステップＳ２１でＹＥＳと判別された場合）には、ステップＳ２２に移る。また、特定地図データ受信部２１が特定地図データを受信していない場合（ステップＳ２１でＮＯと判別された場合）には、このまま待機する。
【００６７】
ステップＳ２２では、特定地図データ受信部２１は、受信した特定地図データ及び関連する特定検索語を特定地図データ記憶部２６に記憶させる。この処理が終了した場合には、本フローチャートの処理を終了する。
【００６８】
図９を参照して、地図検索サーバ２０において行われる地図データ検索処理について説明する。
【００６９】
まず、ステップＳ３１では、検索要求受付部２２は、クライアント装置３０からの検索要求を受信したか否かを判別する。検索要求受付部２２は、クライアント装置３０からの検索要求を受信した場合（ステップＳ３１でＹＥＳの場合）には、ステップＳ３２に移る。検索要求受付部２２が検索要求を受信しない場合（ステップＳ３１でＮＯの場合）は、このまま待機する。
【００７０】
ステップＳ３２では、検索要求受付部２２が検索要求を受け付ける。詳細には、検索要求受付部２２は、検索要求に含まれる検索語を抽出し、地図データ抽出部２３に送る。
【００７１】
ステップＳ３３では、地図データ抽出部２３が検索結果としてクライアント装置３０に返信するための地図データを抽出する。詳細には、地図データ抽出部２３は、検索語が特定検索語であるかを判別し、特定検索語に該当する場合は特定地図データ記憶部２６から該当する特定地図データを読み出し、特定地図データに含まれる地名を含む地図データを検索地図データ記憶部２７から読み出す。また特定検索語では無い場合には、検索地図データ記憶部２７から検索語に該当する地図データを読み出す。
【００７２】
ステップＳ３４では、地図データ送信部２４が地図データ又は特定地図データを検索要求を受けたクライアント装置３０に送信する。これにより、クライアント装置３０の表示部に検索結果としての地図が表示される。この処理が終了した場合には、本フローチャートの処理を終了する。
【００７３】
図１０を参照して表示例について説明する。図１０は、クライアント装置３０の表示部５０に表示される表示例である。
【００７４】
表示部５０には、検索語入力欄５１、検索ボタン５２、地図表示領域５３、が少なくとも表示される。
【００７５】
検索語入力欄５１は、クライアント装置３０を使用するユーザが検索語を入力する部分である。ユーザは、操作デバイス（図示せず）により検索語入力欄５１に単語を入力して表示させたい地図を検索する。
【００７６】
検索ボタン５２は、検索語入力欄５１への入力を確定し、地図検索サーバ２０に検索要求を行う契機となるボタンである。このボタンをクリックすることにより、地図検索サーバ２０へ検索語と共に検索要求が送信される。
【００７７】
地図表示領域５３は、検索結果として地図検索サーバ２０から送信された地図データを表示する。本表示例の場合、「ゆったり旅気分」という検索語によって検索された地図が表示されている。「ゆったり旅気分」というのは、過去に放送局５によって放送された放送番組の名称である。これは、特定検索語にあたるので（図５参照）、当該特定検索語に関連付けられた特定地図データが地図表示領域５３に表示される。
【００７８】
地図表示領域５３表示される地図には、放送番組内で提示された地名について印５４ａ，５４ｂ，５４ｃ，５４ｄが付されている。この印は、主な地名５４ａ，５４ｂ，５４ｃ，５４ｄについて付される。詳細には、当該放送番組と共に配信された番組メタ情報に含まれる地名であり、特定地図データにおいて、「地名」として登録された地名である（図３参照）。これにより、当該地図を見たユーザは、番組内においてどの地域が取り上げられたのかを容易に知ることができる。
【００７９】
また、この放送番組が複数回のシリーズで放送されている場合には、地図表示領域５３の左側に放送日時の一覧５５が表示される。ここで、さらに放送日を選択して目的の回の放送番組を選択することができる。
【００８０】
＜ハードウェア構成＞
図１１を参照して特定地図データ生成サーバ１０ハードウェア構成について説明する。図１１は、本発明の実施形態に係る特定地図データ生成サーバ１０のハードウェア構成の一例を示す図である。
【００８１】
特定地図データ生成サーバ１０は、制御部１０１を構成するＣＰＵ（Ｃｅｎｔｒａｌ  Ｐｒｏｃｅｓｓｉｎｇ  Ｕｎｉｔ）１（１０１０）（マルチプロセッサ構成ではＣＰＵ２（１０１２）等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、ならびにキーボード及びマウス１１００等の入力手段や表示装置１０２２を備える。
【００８２】
Ｉ／Ｏコントローラ１０７０には、テープドライブ１０７２、ハードディスク１０７４、光ディスクドライブ１０７６、半導体メモリ１０７８、等の記憶手段を接続することができる。
【００８３】
ＢＩＯＳ１０６０は、各サーバの起動時にＣＰＵ１（１０１０）が実行するブートプログラムや、各サーバのハードウェアに依存するプログラム等を格納する。
【００８４】
記憶部を構成するハードディスク１０７４は、特定地図データ生成サーバ１０がサーバとして機能するための各種プログラム及び本発明の機能を実行するプログラムを記憶しており、さらに必要に応じて各種データベース（地名詳細情報記憶部１６、特定地図データ記憶部等）を構成可能である。
【００８５】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。
【００８６】
特定地図データ生成サーバ１０に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、特定地図データ生成サーバ１０にインストールされ実行されてもよい。
【００８７】
前述のプログラムは、内部または外部の記憶媒体に格納されてもよい。ここで、記憶部１０７を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続されたサーバシステムに設けたハードディスク１０７４または光ディスクライブラリ等の記憶装置を記録媒体として使用し、通信回線を介してプログラムを特定地図データ生成サーバ１０に提供してもよい。
【００８８】
ここで、表示装置１０２２は、ユーザにデータの入力を受け付ける画面を表示したり、特定地図データ生成サーバ１０による演算処理結果の画面を表示したりするものであり、ブラウン管表示装置（ＣＲＴ）、液晶表示装置（ＬＣＤ）等のディスプレイ装置を含む。
【００８９】
ここで、入力手段は、ユーザによる入力の受け付けを行うものであり、キーボード及びマウス１１００等により構成してよい。
【００９０】
また、通信Ｉ／Ｆ１０４０は、各サーバを専用ネットワークまたは公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【００９１】
以上の例は、特定地図データ生成サーバ１０について主に説明したが、コンピュータに、プログラムをインストールして、そのコンピュータをサーバ装置として動作させることにより各機能を実現することもできる。したがって、本実施形態の特定地図データ生成サーバ１０により実現される機能は、前述の方法を当該コンピュータにより実行することにより、あるいは、前述のプログラムを当該コンピュータに導入して実行することによっても実現可能である。
【００９２】
地図検索サーバ２０及びクライアント装置３０も、前述の特定地図データ生成サーバ１０と同様な構成を持つ。また、クライアント装置３０について、本実施形態ではいわゆるＰＣ（Ｐｅｒｓｏｎａｌ  Ｃｏｍｐｕｔｅｒ）で実現した例について説明したが、さらに、本発明の原理が適用可能である限り、携帯電話、ＰＤＡ（Ｐｅｒｓｏｎａｌ  Ｄａｔａ  Ａｓｓｉｓｔａｎｔ）、ゲーム機等の様々な端末で実現してよい。
【００９３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００９４】
【図１】本発明の一実施形態である地図検索システムの概要を示す図である。
【図２】本発明の一実施形態である特定地図データ生成サーバの機能構成図である。
【図３】本発明の一実施形態である特定地図データの例を示す図である。
【図４】本発明の一実施形態である地名詳細情報テーブルを示す図である。
【図５】本発明の一実施形態である特定地図データテーブルを示す図である。
【図６】本発明の一実施形態である地図検索サーバの機能構成を示す図である。
【図７】本発明の一実施形態である特定地図生成処理のフローチャートを示す図である。
【図８】本発明の一実施形態である特定地図データ受信処理のフローチャートを示す図である。
【図９】本発明の一実施形態である地図検索処理のフローチャートを示す図である。
【図１０】本発明の一実施形態である表示例を示す図である。
【図１１】本発明の実施形態に係る番組編集サーバのハードウェア構成の一例を示す図である。
【符号の説明】
【００９５】
１    地図検索システム
１０  特定地図データ生成サーバ
１１  地名等抽出部
１２  特定地図データ生成部
１３  特定地図データ送信部
１６  地名詳細情報記憶部
１７  特定地図データ記憶部
２０  地図検索サーバ
２１  特定地図データ受信部
２２  検索要求受付部
２３  地図データ抽出部
２４  地図データ送信部
２６  特定地図データ記憶部
２７  検索地図データ記憶部
３０ａ，３０ｂ  クライアント装置
４０  ネットワーク
【図１】
2010152467.tif 000003
【図２】
2010152467.tif 000004
【図３】
2010152467.tif 000005
【図４】
2010152467.tif 000006
【図５】
2010152467.tif 000007
【図６】
2010152467.tif 000008
【図７】
2010152467.tif 000009
【図８】
2010152467.tif 000010
【図９】
2010152467.tif 000011
【図１０】
2010152467.tif 000012
【図１１】
2010152467.tif 000013